(57)【特許請求の範囲】
【請求項１】
磁性を示す材質で構成された柱に建築用ボードを設置する建築用ボードの設置方法であって、
吊り下げ糸の一端に固定具を備え、他端に錘を備えた下げ振りの該固定具を該柱の上部に設置して該錘を吊り下げる下げ振り吊設工程と、
該下げ振り吊設工程の後に、該柱に対する該建築用ボードのネジ留め位置を示す複数の目印部材を該吊り下げ糸に配設する目印部材配設工程と、
該目印部材の示す位置に従って該柱に該建築用ボードをネジ留めする建築用ボード設置工程と、
を含み、
該固定具には、磁石が配置されており、該下げ振り吊設工程では、該磁石によって該固定具を該柱の上部に設置することを特徴とする建築用ボードの設置方法。
【請求項２】
前記吊り下げ糸は、等間隔に目盛りを付されており、メジャーとしての機能を備えることを特徴とする請求項１記載の建築用ボードの設置方法。
【請求項３】
前記目印部材は、前記吊り下げ糸に沿って移動可能に配設されることを特徴とする請求項１又は請求項２記載の建築用ボードの設置方法。
【請求項４】
前記目印部材は、前記吊り下げ糸に対して着脱可能に配設されることを特徴とする請求項１から請求項３のいずれかに記載の建築用ボードの設置方法。
【発明の詳細な説明】
【技術分野】
【０００１】
本発明は、建築物の柱に板状の建材を設置する設置方法に関する。
【背景技術】
【０００２】
建築物の壁として用いられる板状の建材（以下、建築用ボード）は、例えば、骨組みとなるステンレス製の柱に対してネジ留め等の方法で固定される。この建築用ボードの固定を進めていくと、柱は建築用ボードで覆われ、ネジ留めの位置が分かり難くなる。
【０００３】
そこで、ネジ留めの位置を示す印をあらかじめ建築用ボードに付しておく方法が提案されている（例えば、特許文献１、特許文献２等参照）。この方法では、柱が建築用ボードで覆われた状態でも、付された印に基づいてネジ留めの位置を確認できるので、柱に対して建築用ボードを適切かつ容易に固定できる。
【先行技術文献】
【特許文献】
【０００４】
【特許文献１】特開平９−１３６１７号公報
【特許文献２】特開平１１−１３１６８４号公報
【発明の概要】
【発明が解決しようとする課題】
【０００５】
しかしながら、上述の方法では、建築用ボードのあらかじめ決められた位置に印を付してしまうので、例えば、ネジ留め位置の変更、修正等に対して容易に対応できない。また、印を付すことで建築用ボードの価格も高くなってしまう。このように、従来の方法では、建築用ボードの汎用性やコストに問題があった。
【０００６】
本発明はかかる問題点に鑑みてなされたものであり、その目的とするところは、建築用ボードの汎用性を維持し、コストを低く抑えながら、柱に対して建築用ボードを適切かつ容易に固定できる建築用ボードの設置方法を提供することである。
【課題を解決するための手段】
【０００７】
本発明によれば、磁性を示す材質で構成された柱に建築用ボードを設置する建築用ボードの設置方法であって、吊り下げ糸の一端に固定具を備え、他端に錘を備えた下げ振りの該固定具を該柱の上部に設置して該錘を吊り下げる下げ振り吊設工程と、該下げ振り吊設工程の後に、該柱に対する該建築用ボードのネジ留め位置を示す複数の目印部材を該吊り下げ糸に配設する目印部材配設工程と、該目印部材の示す位置に従って該柱に該建築用ボードをネジ留めする建築用ボード設置工程と、を含み、該固定具には、磁石が配置されており、該下げ振り吊設工程では、該磁石によって該固定具を該柱の上部に設置することを特徴とする建築用ボードの設置方法が提供される。
【０００８】
本発明において、前記吊り下げ糸は、等間隔に目盛りを付されており、メジャーとしての機能を備えることが好ましい。
【０００９】
また、本発明において、前記目印部材は、前記吊り下げ糸に沿って移動可能に配設されることが好ましい。
【００１０】
また、本発明において、前記目印部材は、前記吊り下げ糸に対して着脱可能に配設されることが好ましい。
【発明の効果】
【００１１】
本発明に係る建築用ボードの設置方法では、吊り下げ糸の一端及び他端にそれぞれ固定具及び錘を備えた下げ振りの固定具を柱の上部に設置して錘を吊り下げた後に、柱に対する建築用ボードのネジ留め位置を示す複数の目印部材を吊り下げ糸に配設するので、下げ振りや目印部材の示す位置に従って柱に建築用ボードをネジ留めできる。
【００１２】
すなわち、従来のような印を付さなくとも、柱に対して建築用ボードを固定できる。つまり、本発明に係る建築用ボードの設置方法によれば、建築用ボードの汎用性を維持し、コストを低く抑えながら、柱に対して建築用ボードを適切かつ容易に固定できる。
【図面の簡単な説明】
【００１３】
【図１】建築用ボードが設置される建築物の内部を模式的に示す斜視図である。
【図２】下げ振り吊設工程を模式的に示す断面図である。
【図３】目印部材配設工程を模式的に示す断面図である。
【図４】建築用ボード設置工程を模式的に示す斜視図である。
【図５】変形例に係る目印部材等を模式的に示す断面図である。
【図６】複数の胴縁部を備えた仕切り部材等を模式的に示す斜視図である。
【発明を実施するための形態】
【００１４】
添付図面を参照して、本発明の実施形態について説明する。本実施形態に係る建築用ボードの設置方法は、下げ振り吊設工程、目印部材配設工程、及び建築用ボード設置工程を含む。下げ振り吊設工程では、吊り下げ糸の一端及び他端にそれぞれ固定具及び錘を備えた下げ振りの固定具を柱の上部に設置して錘を吊り下げる。
【００１５】
目印部材配設工程では、柱に対する建築用ボードのネジ留め位置を示す複数の目印部材を吊り下げ糸に配設する。建築用ボード設置工程では、目印部材の示す位置に従って柱に建築用ボードをネジ留めする。以下、本実施形態に係る建築用ボードの設置方法について詳述する。
【００１６】
図１は、本実施形態において建築用ボードが設置される建築物の内部を模式的に示す斜視図である。図１に示す建築物２は、例えば、組立式の建物であり、内部の空間を仕切る仕切り部材４を備えている。仕切り部材４は、床板２ａに固定され水平方向に伸びる土台部４ａと、天板２ｂに固定され土台部４ａに対応した水平方向に伸びる桁部４ｂとを含む。
【００１７】
土台部４ａと桁部４ｂとの間には、鉛直方向に伸びる複数の間柱部（柱）４ｃが設けられている。土台部４ａ、桁部４ｂ、及び間柱部４ｃは、例えば、磁性を示すステンレス（マルテンサイト系、フェライト系等）で構成される。ただし、仕切り部材４の材質、構成等はこれに限定されない。また、建築物２の側板２ｃには、窓６が形成されている。
【００１８】
本実施形態に係る建築用ボードの設置方法では、上述した複数の間柱部４ｃに建築用ボード（石膏ボードに代表される板状の建材）を固定する。図２は、本実施形態の下げ振り吊設工程を模式的に示す断面図である。
【００１９】
下げ振り吊設工程では、図２に示す下げ振り８が用いられる。下げ振り８は、間柱部４ｃの全長より僅かに短い吊り下げ糸１０を備えている。吊り下げ糸１０の一端には、固定具１２が固定されている。固定具１２の背面には、磁石１４が配置されており、固定具１２は、この磁石１４によって間柱部４ｃの上部に取り付けられる。
【００２０】
吊り下げ糸１０の他端には、錘１６が固定されている。そのため、固定具１２を任意の間柱部４ｃの上部に取り付けると、錘１６は吊り下げられ、吊り下げ糸１０が間柱部４ｃと平行になる。
【００２１】
下げ振り吊設工程の後には、複数の目印部材を吊り下げ糸１０に取り付ける目印部材配設工程を実施する。図３は、本実施形態の目印部材配設工程を模式的に示す断面図である。この目印部材配設工程では、例えば、間柱部４ｃが備えるネジ穴等に合わせて、目印となる目印部材１８を吊り下げ糸１０に取り付ける。
【００２２】
この目印部材１８によって、間柱部４ｃが露出していない状態でもネジ穴の位置（代表的には高さ）を確認できる。目印部材１８は、吊り下げ糸１０に対して容易に取り付けることができるものであれば、専用品でなくても良い。例えば、目印部材１８として、釣り用の浮き止め糸等を用いることもできる。
【００２３】
目印部材配設工程の後には、目印部材の示す位置に従って柱に建築用ボードをネジ留めする建築用ボード設置工程を実施する。図４は、本実施形態の建築用ボード設置工程を模式的に示す斜視図である。この建築用ボード設置工程では、例えば、建築用ボード２０を間柱部４ｃに重ねてネジ２２を締め込む。
【００２４】
ここで、間柱部４ｃには、あらかじめ下げ振り８が取り付けられているので、建築用ボード２０で覆われた状態でも間柱部４ｃの位置を確認できる。また、間柱部４ｃの吊り下げ糸１０には、ネジ穴の位置（ネジ留め位置）を示す目印部材１８が取り付けられているので、建築用ボード２０で覆われた状態でもネジ穴の位置を確認できる。
【００２５】
以上のように、本実施形態に係る建築用ボードの設置方法では、吊り下げ糸１０の一端及び他端にそれぞれ固定具１２及び錘１６を備えた下げ振り８の固定具１２を間柱部（柱）４ｃの上部に設置して錘１６を吊り下げた後に、間柱部４ｃに対する建築用ボード２０のネジ留め位置を示す複数の目印部材１８を吊り下げ糸１０に配設するので、下げ振り８や目印部材１８の示す位置に従って間柱部４ｃに建築用ボード２０をネジ留めできる。
【００２６】
すなわち、従来のような印を付さなくとも、間柱部４ｃに対して建築用ボード２０を固定できる。つまり、本実施形態に係る建築用ボードの設置方法によれば、建築用ボード２０の汎用性を維持し、コストを低く抑えながら、間柱部４ｃに対して建築用ボード２０を適切かつ容易に固定できる。
【００２７】
なお、本発明は上記実施形態の記載に限定されず、種々変更して実施可能である。例えば、上記実施形態とは異なる態様の目印部材を用いて本発明を実施することもできる。図５は、変形例に係る目印部材等を模式的に示す断面図である。
【００２８】
図５に示すように、変形例に係る目印部材２４は、吊り下げ糸１０に沿って移動可能に構成されている。これにより、間柱部４ｃのネジ穴の位置等が変更された場合にも、目印部材２４の位置を簡単に調整できる。
【００２９】
また、上記の目印部材１８，２４は、吊り下げ糸１０に対して着脱可能に構成されても良い。この場合にも、目印部材１８，２４の位置を簡単に調整できる。また、吊り下げ糸１０には、等間隔に目盛りが付されていても良い。これにより、吊り下げ糸１０をメジャーとして機能させることができる。
【００３０】
また、仕切り部材４には、水平方向に伸びる複数の胴縁部が配置されても良い。図６は、水平方向に伸びる複数の胴縁部を備えた仕切り部材４等を模式的に示す斜視図である。この場合には、図６に示すように、間柱部４ｃと胴縁部４ｄとの交差点近傍に建築用ボード２０をネジ留めすると良い。
【００３１】
その他、上記実施形態に係る構成、方法等は、本発明の目的の範囲を逸脱しない限りにおいて適宜変更して実施できる。
【符号の説明】
【００３２】
２  建築物
２ａ  床板
２ｂ  天板
２ｃ  側板
４  仕切り部材
４ａ  土台部
４ｂ  桁部
４ｃ  間柱部（柱）
４ｄ  胴縁部
６  窓
８  下げ振り
１０  吊り下げ糸
１２  固定具
１４  磁石
１６  錘
１８  目印部材
２０  建築用ボード
２２  ネジ
２４  目印部材
【図１】
0006460718.tif 000002
【図２】
0006460718.tif 000003
【図３】
0006460718.tif 000004
【図４】
0006460718.tif 000005
【図５】
0006460718.tif 000006
【図６】
0006460718.tif 000007